(57)【要約】使用者の口腔内で歯を再現する装置は、装着者の顎骨にある穴で受け入れ可能なねじ付き挿入体であって、それに結合される第１の連結具を有するねじ付き挿入体と、第２の連結具を有する歯インプラントとを備える。第１および第２の連結具は、使用者の口腔内で歯インプラントを保持するために互いに摩擦係合可能である。【選択図】図１
2016536027.tif 000002
【特許請求の範囲】
【請求項１】
使用者の口腔内で歯を再現する装置であって：
装着者の顎骨にある穴で受け入れ可能なねじ付き挿入体であって、それに結合される第１の連結具を有するねじ付き挿入体と、
第２の連結具を有する歯インプラントと
を備え、
前記第１および第２の連結具が、前記使用者の口腔内で前記歯インプラントを保持するために互いに摩擦係合可能である装置。
【請求項２】
前記第１または第２の連結具のうち１つが、互いに対し回動自在に固定される、請求項１に記載の装置。
【請求項３】
前記第１または第２の連結具のうち１つが、中心空洞を備える、請求項１に記載の装置。
【請求項４】
前記第１または第２の連結具のうちのもう１つが、前記中心空洞内にスライド自在に受け入れ可能な支持柱を備え、前記支持柱が、前記中心空洞に対応する輪郭を有する、請求項３に記載の装置。
【請求項５】
前記中心空洞が止まり穴を有する、請求項３に記載の装置。
【請求項６】
前記止まり穴が鍵穴部を含む、請求項５に記載の装置。
【請求項７】
前記鍵穴部が非円筒形状を含む、請求項６に記載の装置。
【請求項８】
前記鍵穴部が、前記支持柱に沿って長手方向に伸びる溝を有する、請求項６に記載の装置。
【請求項９】
前記止まり穴が支持部を含む、請求項５に記載の装置。
【請求項１０】
前記支持部が、少なくとも１つの拡張領域を有する筒状穴を備える、請求項９に記載の装置。
【請求項１１】
前記支持部が、前記中心空洞内に伸びる複数の偏向した指状突起を、前記支持柱周囲の溝に対応する位置にする、請求項９に記載の装置。
【請求項１２】
前記中心空洞を、ねじ付き挿入体内に受け入れ可能な挿入スリーブ内に配置する、請求項３に記載の装置。
【請求項１３】
前記挿入体と前記歯インプラントの間にワッシャーをさらに備える、請求項１に記載の装置。
【請求項１４】
前記ワッシャーが圧縮性である、請求項１３に記載の装置。
【請求項１５】
前記柱と前記空洞の間に可撓性スリーブをさらに備える、請求項４に記載の装置。
【発明の詳細な説明】
【技術分野】
【０００１】
本発明は、概して歯インプラントに関し、具体的には、その方法と装置に関する。
【背景技術】
【０００２】
本発明は、歯科骨内インプラントと、その埋め込み方法を対象としている。大部分の歯科骨内インプラントは、一般に、顎骨に形成された凹部に埋め込まれる細長い形状の物体でできており、骨の中にインプラントを固定する手段と、人工歯を受け入れる手段とを有する。一般に、歯科骨内インプラントは、骨に埋入穴を開け、作製した空洞にインプラントをたたいて、および／またはねじ込んで挿入することによって配置する。
【０００３】
先行技術として、さまざまな種類の歯科骨内インプラントが知られている。具体的には、通常、歯科インプラントの多くが、使用者の顎骨に埋め込まれる挿入体と、挿入体にねじで固定されるアバットメントから形成されている。次いで、アバットメントの上に歯冠を取り付けることができる。
【発明の概要】
【発明が解決しようとする課題】
【０００４】
そのような歯冠は、通常、アバットメントスクリューを含むアバットメントの上に歯冠を接着することによって、永久的にアバットメントに固定される。アバットメントスクリューは、アバットメントを挿入体に固定するのに用いられる。したがって、インプラントを除去するには、歯冠全体を除去するか、または歯冠に穴を開けてアバットメントスクリューに到達する必要がある。いずれの手法でも、新しい歯冠を作製するか、以前の歯冠を修理する必要があり、そのため本来の歯冠と同じ咬合面を提供するのが難しいことがある。不都合な場合には、後からそうした穴を仮の、または永久的な充填材で充填する必要がある。穴にそのような充填材を使用すると、将来、患者に対する評価または作業のためにインプラントを抜去するには、まずその充填材を除去しなければならず、充填材のために処置に余計な時間がかかり、破片も生じる。このため、本発明の目的は、既知の種類の歯科骨内インプラントにおける前述の欠点に対処することを可能にするインプラントを提供することである。
【課題を解決するための手段】
【０００５】
本発明の第１の実施形態に従って、装着者の顎骨にある穴で受け入れ可能なねじ付き挿入体であって、それに結合される第１の連結具を有するねじ付き挿入体と、第２の連結具を有する歯インプラントとを備える、使用者の口腔内で歯を再現する装置が開示される。第１および第２の連結具は、使用者の口腔内で歯インプラントを保持するために、互いに摩擦係合可能である。
【０００６】
第１または第２の連結具のうち１つは、互いに対し回動自在に固定されてよい。第１または第２の連結具のうち１つは、中心空洞を備えてよい。第１または第２の連結具のうちのもう１つは、中心空洞内にスライド自在に受け入れ可能な支持柱を備えてよく、支持柱が、中心空洞に対応する輪郭を有する。
【０００７】
中心空洞は止まり穴を有してよい。止まり穴は鍵穴部を含んでよい。鍵穴部は非円筒形状を含んでよい。鍵穴部は、支持柱に沿って長手方向に伸びる溝を有してよい。止まり穴は支持部を含んでよい。
【０００８】
支持部は、少なくとも１つの拡張領域を有する筒状穴を備えてよい。支持部は、中心空洞内に伸びる複数の偏向した指状突起を、支持柱周囲の溝に対応する位置に有してよい。中心空洞を、ねじ付き挿入体内に受け入れ可能な挿入スリーブ内に配置してよい。
【０００９】
装置は、挿入体と歯インプラントの間にワッシャーをさらに備えてよい。ワッシャーは圧縮性であってよい。装置は、柱と空洞の間に可撓性スリーブをさらに備えてよい。
【００１０】
添付の図面と合わせて、以下に記述する本発明の特定の実施形態を検討することにより、本発明の他の態様および特徴が、当業者に明らかとなろう。
【図面の簡単な説明】
【００１１】
本発明の実施形態を説明する図面において、各図で同じ参照記号は類似の部品を示す。
【図１】本発明の第１の実施形態による歯インプラントの分解図である。
【図２】図１のインプラントのねじ付き挿入体の断面図である。
【図３】歯挿入体とねじ付き挿入体を組み立てた状態の断面図である。
【図４ａ】挿入体の空洞開口部の別の実施形態の上面図である。
【図４ｂ】挿入体の空洞開口部の別の実施形態の上面図である。
【図４ｃ】挿入体の空洞開口部の別の実施形態の上面図である。
【図４ｄ】挿入体の空洞開口部の別の実施形態の上面図である。
【図５】本発明の第１の実施形態による歯インプラントの断面図である。
【図６】図５の歯挿入体の開口部の底面図である。
【図７】本発明の第１の実施形態による歯インプラントの分解図である。
【図８】図７の支持柱の詳細な斜視図である。
【図９】図７の歯インプラントの横断面図である。
【発明を実施するための形態】
【００１２】
図１では、本発明の第１の実施形態に従って歯を交換する装置全体を１０で示す。図１において、装置１０は、患者の顎骨の中に埋め込まれるよう構成されたねじ付き挿入体１２と歯挿入体４０とを備え、歯挿入体４０はねじ付き挿入体１２内にスライド自在に受け入れられる。
【００１３】
ねじ付き挿入体１２は、それぞれ下端部１３に隣接するねじ付き外面１４と、上端部１１に隣接する上部肩部１６とを有する、上端部１１と下端部１３との間に伸びる実質的に円筒形の部材を備える。肩部１６は上部台１８と環状溝２０とを含む。これらについては後ほど詳述する。ねじ付き挿入体１２は、好ましくはジルコニア製であるが、一般に知られる他の適切な歯科インプラント材料で作られていてよい。ねじ付き挿入体１２は、最初に、患者の顎骨にある穴（図示せず）に下端部１３が挿入され、その後で、ねじ付き挿入体１２の可視部が肩部１６のみとなるようにねじ込まれる。上部台１８は、そこを抜けてねじ付き挿入体１２の内部に伸びる穴２２と、そこから穴２２の中心に向かって伸びる支持リップ２４を有する。
【００１４】
図２に示すように、ねじ付き挿入体１２の内側に沿って挿入スリーブ３０があり、挿入体は、支持リップ２４によって適切な位置に保持される。挿入スリーブ３０は、穴２２の寸法に対応する外形寸法を有する、実質的に円筒形の部材で形成される。挿入体は中心空洞３２を含み、その中に上部鍵穴部３３と下部支持部３４を有する。上部鍵穴部３３は、歯挿入体４０が上部鍵穴部３３に対して回転するのを防ぎ、一方、支持部は、後ほど詳述するように、空洞内にある歯挿入体を保持する。挿入スリーブ３０は、任意の適切な材料で形成され、この限定されない例としてテフロンが挙げられる。また、挿入スリーブ３０は穴２２内にスライド自在に受け入れられる。挿入スリーブ３０および／または穴２２は長手方向の隆起部（図示せず）も有し、この２つが互いに対して回転するのを防ぐ。
【００１５】
空洞３２の鍵穴部３３は非円形であり、その表面が、歯挿入体を係合し、互いに対して回転するのを防ぐようにする。図４ａから４ｄに示すように、鍵穴部の断面は任意の適切な形状を選択してよく、この限定されない例として、図４ｂに示す八角形３３ｂ、図４ａおよび４ｃに示す六角形３３ａおよび３３ｃ、図４ｄに示すに示す星型３３ｄ、または任意の他の適切な非円形、この限定されない例として、楕円形、三角形、四角形、不規則な形状などが挙げられる。任意選択で、空洞の鍵穴部３３は、支持柱にある対応する細長い溝に適合するよう構成された、図６に示すような、鍵穴部３３に沿って伸びる隆起部７２を有してもよい。
【００１６】
支持部３４は、実質的に円筒形状を有する、空洞の狭窄部分を有する。支持部３４は、それに沿って配置される少なくとも１つの拡張領域３６を有する。図示するように、支持部３４は２つの拡張領域３６を有してよいが、当然のことながら、１つ、または２つ以上の拡張領域を用いてもよい。拡張領域３６は、図示するように、実質的に球形であってよいが、他の断面形状であってもよい。
【００１７】
図１に示すように、歯挿入体４０は、交換の必要がある歯に対応する上部体４２を備える。上部体４２は、欠如または抜去した歯のレプリカを作製する技術分野で一般に知られる任意の適切な手段で形成してよい。歯挿入体４０は、上部体４２の底部に固定されている台４４も含む。台４４は任意の適切な材料で形成され、この限定されない例として、ジルコニアが挙げられる。台４４の下縁部から伸びているのは、挿入スリーブ３０の鍵穴部３３に対応する輪郭を有する鍵４６である。さらに、支持柱４８は、挿入体の支持部３４に対応する位置および大きさで、鍵穴部３３の下方に伸びている。具体的には、支持柱４８は支持部３４に対応する円筒外形を有し、拡張フランジ５０が、挿入スリーブ３０の拡張領域３６に対応する位置でこれに沿って配置される。拡張フランジ５０の幅は、支持部３４の主要部分の直径より大きくなるよう選択され、それにより、拡張領域３６内に拡張フランジ５０を保持し、そうすることで歯インプラントの望ましくない移動を防ぐ。これについては後ほど詳述する。図示するように、歯挿入体４０は、台４４の底部外縁の周囲に、Ｏリング５２または他の適切な密閉手段を含んでもよい。任意選択で、台４４は、それの周囲を囲って受け入れるよう構成されるシリコンスリーブ６０を含んでよい。これについては後ほど詳述する。
【００１８】
手術時に、ねじ付き挿入体１２は、既知の方法に従って患者の顎骨にある穴内にねじで埋め込む。その後で、挿入スリーブ３０を、ねじ付き挿入体１２の穴２２内に埋め込む。次いで、空洞の鍵穴部３３の方向を、インジケーターキャップを使用するなど、先行技術で知られる方法を用いて確認してよい。鍵穴部３３の方向および交換の必要がある歯から、交換の必要がある歯に対応するよう歯挿入体４０を作製する。歯挿入体４０には、歯を望み通りに配置するよう、上部体４２に対して鍵４６および支持柱４８を配置する。作製したら、シリコンスリーブ６０を台４４の周囲に取り付け、巻き上げ、その下縁を露出させてよい。次いで、歯挿入体４０を、歯挿入体４０の鍵４６と空洞３２の鍵穴部３３を合わせることによって、空洞３２に挿入してよい。次いで、支持柱４８を空洞の支持部３４に押し込み、挿入スリーブ３０の材料が変形して拡張フランジ５０が空洞の拡張領域３６に配置されるようにする。そのような配置を図３に示す。この図では、Ｏリング５２が、歯挿入体４０の台４４と、ねじ付き挿入体１２の上部台１８との間に配置されている。その後で、スリーブ６０を巻き下げ、歯挿入体とねじ付き挿入体１２の間の隙間を覆い、シリコンスリーブの下部にある隆起部６２が環状溝２０内に係合するようにする。
【００１９】
任意選択で、図５に示すように、歯挿入体４０が中心空洞３２を含んでよい。このとき、支持柱４８が、ねじ付き挿入体１２から伸びている。図５に示すように、支持柱４８は、その周囲に環状溝７４を有してよい。このとき、中心空洞３２は、溝７４に係合し、そこで歯挿入体を保持するよう構成された位置に、中心空洞３２から伸びる複数の内側に偏向した指状突起７６を有する。図５に示すように、装置は、任意選択で、ねじ付き挿入体１２と歯挿入体４０の間にシリコンワッシャー７０または他の適切な圧縮緩衝材を有してよい。
【００２０】
図７から９に、本発明の任意選択の実施形態を示す。ここでは、独立した支持柱９０が、独立した要素として設けられている。この独立した要素は、ねじ付き挿入体１２に固定してよい。具体的には、ねじ付き挿入体１２は、支持柱９０の底部から伸びるねじ付き柱９２に対応する、ねじ付き挿入体１２の中に伸びるねじ付き中心空洞３２を有してよい。図７から９の組立品は歯挿入体１１０も含む。歯挿入体１１０に形成された空洞１１２は、空洞１１２と支持柱９０の間にスリーブ状ガスケット１００を有する状態で支持柱９０を受け入れる。
【００２１】
図８に示すように、支持柱９０は、丸い上端部９４および外側に広がった下端部９６を有してよい。図７に示すように、下部は、全体として９８で示す、水平線より２０〜４５度下がった角度に向けられた外向きの外面を有してよい。その目的については後ほど詳述する。支持柱９０は、１つまたは複数の任意選択の溝８４を有する、実質的に円形の断面を有してよい。溝８４は、歯挿入体４０の回転を妨げるために、支持柱９０の一側面に沿って長手方向に伸びている。溝８４は、任意選択で、その中に、その下端部に隣接する第２の溝８６を有してよい。その目的については後ほど詳述する。支持柱の任意選択の識別８９も支持柱上に含まれていてよく、この限定されない例として、シリアル番号、バーコードなどが挙げられる。
【００２２】
スリーブ状ガスケット１００は、可撓性を持つように、テフロン（登録商標）などの任意の適切な材料で形成してよい。スリーブ状ガスケット１００の厚さは、空洞３２と支持柱９０の半径の差よりも大きくなるように選択し、例えば約０．０００４インチ（１０μｍ）など、空洞３２と支持柱９０の間の締まりばめを形成するようにする。図９に示すように、スリーブ状ガスケット１００は、任意選択で、支持柱に沿って伸びる溝８４に対応する増肉部１０２を有してよい。
【００２３】
手術時に、ねじ付き挿入体１２を、既知の方法に従って患者の顎骨に配置した後、ねじ付き柱９２をねじ付き空洞３２上にねじで連結することにより、支持柱９０をねじ付き挿入体１２上にねじで固定する。その後で、歯挿入体１１０を、試しに支持柱９０に取り付け、位置と高さを確認してよい。歯挿入体１１０の高さは、歯挿入体の底部１１４から材料を除去することによって調整してよい。歯挿入体１１０の位置と高さを修正したら、スリーブ状ガスケット１００を空洞１１２に挿入し、軽量セメントでその中に保持してよい。その後で、患者の口腔内の歯挿入体１１０の位置を再び確認し、歯挿入体の底部１１４から材料を除去することによって、または空洞１１２内のスリーブ状ガスケット１００の方向を調整することによって調整してよい。歯挿入体１１０の方向と高さが容認できたら、次いで、第２の溝８６に対応する位置で、スリーブ状ガスケットの下に鍵８８を配置する。それから、歯挿入体１１０を、鍵８８が第２の溝８６内に位置するまで、支持柱９０の上から押し付けることで、スリーブ状ガスケット１００を、溝８４および第２の溝８６の方に押し出し、それにより、歯挿入体１１０を支持柱９０上に保持する。歯挿入体１１０を除去したい場合、１つまたは複数のくさび１２０を、歯挿入体１１０の底部１１４と、支持柱９０の広がった下端部９６との間に押し入れることにより、この２つを分離させ、その後で、歯挿入体を支持柱から引き抜いてよい。
【００２４】
本発明の特定の実施形態について記述し、説明してきたが、そのような実施形態は、本発明の例示にすぎず、添付の特許請求の範囲に従って解釈される本発明を限定するものとみなされるべきではない。
【図１】
2016536027.tif 000003
【図２】
2016536027.tif 000004
【図３】
2016536027.tif 000005
【図４ａ】
2016536027.tif 000006
【図４ｂ】
2016536027.tif 000007
【図４ｃ】
2016536027.tif 000008
【図４ｄ】
2016536027.tif 000009
【図５】
2016536027.tif 000010
【図６】
2016536027.tif 000011
【図７】
2016536027.tif 000012
【図８】
2016536027.tif 000013
【図９】
2016536027.tif 000014
【国際調査報告】
2016536027.tif 000015
2016536027.tif 000016